(57)【要約】  機能をスイッチで切り替えた場合に、ボリュームとレベルの変化量を迅速に１：１に戻すことができ、違和感なく操作できるボリュームの制御方法、ボリュームの制御装置及び撮像装置を提供する。スイッチ４１が選択した機能から一旦切り替えられて、切替前の機能を選択すると、メモリ４３に記憶されたレベルを読み込み、当該レベルと現在のボリュームの目盛で特定される点を現在の操作点１０２として、当該操作点１０２と最小点とを結んだ線又は操作点と最大点とを結んだ線の線上を操作点１０２の軌道とし、操作点１０２が中点合致エリア１０１に入ると、最小点と最大点とを結ぶ初期状態の線の中点１０３を操作点１０２が通過する軌道とし、操作点１０２が中点１０３を通過すると、初期状態の軌道に戻すものである。
2019065159.tif 000002
【特許請求の範囲】
【請求項１】
複数の機能をスイッチで切り替えて、前記機能に応じてレベルを共通のボリュームで制御する制御方法であって、
ボリュームの目盛とレベルの関係を平面で表した場合に、前記目盛と前記レベルが最小となる最小点の近辺エリア又は／及び最大となる最大点の近辺エリアを中点合致エリアとして設定し、
前記スイッチが選択した機能の切替前のレベルをメモリに記憶しておき、一旦前記スイッチが切り替えられた後に、前記スイッチが前記切替前の機能を選択すると、前記メモリに記憶されたレベルを読み込み、当該レベルと現在のボリュームの目盛で特定される点を現在の操作点として、前記操作点と前記最小点とを結んだ線又は前記操作点と前記最大点とを結んだ線の線上を前記操作点の軌道とし、
前記ボリュームの操作で前記操作点が前記中点合致エリアに入ると、前記最小点と前記最大点とを結ぶ初期状態の線の中点を前記操作点が通過する軌道とし、前記中点を前記操作点が通過すると、前記初期状態の線上を前記操作点の軌道とすることを特徴とするボリュームの制御方法。
【請求項２】
ボリュームの目盛とレベルの関係を平面で表した場合に、前記レベルの急激な変動を抑制する急峻制御禁止エリアを設け、操作点が前記急峻制御禁止エリアに入ると、前記操作点からの軌道変動を制限することを特徴とする請求書１記載のボリュームの制御方法。
【請求項３】
複数の機能を切り替えるスイッチと、
前記複数の機能のレベルを制御する共通のボリュームと、
前記機能毎に前記スイッチの切替前のレベルを記憶し、ボリュームの目盛とレベルの関係を平面で表した場合に、前記目盛と前記レベルが最小となる最小点の近辺エリア又は／及び最大となる最大点の近辺エリアを中点合致エリアとして設定されているメモリと、
前記スイッチが選択した機能から一旦切り替えられて、前記切替前の機能を選択すると、前記メモリに記憶されたレベルを読み込み、当該レベルと現在のボリュームの目盛で特定される点を現在の操作点として、当該操作点と前記最小点とを結んだ線又は前記操作点と前記最大点とを結んだ線の線上を前記操作点の軌道とし、前記ボリュームの操作で前記操作点が前記中点合致エリアに入ると、前記最小点と前記最大点とを結ぶ初期状態の線の中点を前記操作点が通過する軌道とし、前記中点を前記操作点が通過すると、前記初期状態の線上を前記操作点の軌道とするよう制御を行うレベル調整部とを有することを特徴とするボリュームの制御装置。
【請求項４】
メモリには、ボリュームの目盛とレベルの関係を平面で表した場合に、前記レベルの急激な変動を抑制する急峻制御禁止エリアが設けられ、
レベル調整部は、操作点が前記急峻制御禁止エリアに入ると、前記操作点からの軌道変動を制限することを特徴とする請求書３記載のボリュームの制御装置。
【請求項５】
請求項３記載のボリームの制御装置と、
ボリュームの目盛とレベルの関係を平面とし、操作点の軌道を表示する表示部とを有することを特徴とする撮像装置。
【発明の詳細な説明】
【技術分野】
【０００１】
本発明は、複数の調整項目をスイッチで切り替えるボリュームの制御方法に係り、特に、ボリュームとレベルの変化量を１：１の状態に迅速に戻すことができるボリュームの制御方法、ボリュームの制御装置及び撮像装置に関する。
【背景技術】
【０００２】
［従来の技術］   電子機器に用いられるアナログ量調整ボリュームは、複雑な操作をすることなく設定値を調整できるため、様々な電子機器に広く利用されている。
従来の調整用ボリュームは、調整項目数と同じ数だけ必要になるため、調整項目数が多いほどボリューム数も多く配置しなければならなかった。
しかしながら、電子機器は小型化が求められ、配置できるボリューム数に限界がある。【０００３】
そこで、複数の調整項目を、スイッチとボリュームを組み合わせて調整することにより、ボリューム数の限界を克服する提案が為されている（例えば、下記の特許文献１，２）。【０００４】
［関連技術］   尚、関連する先行技術として、特開平０８−００８６６３号公報「電子ボリュームの拡張方法」（特許文献１）、特開２００７−２５１７１３号公報「ボリュームの制御方法、ボリュームの制御装置および撮像装置」（特許文献２）がある。【０００５】
特許文献１には、電子ボリュームの入力側と出力側に連動するスイッチを設け、入力信号が切り替わると、電子ボリュームの設定情報をメモリに保持し、元の入力信号に切り替わるとメモリから設定情報を読み出して設定することが示されている。これにより、複数の調整項目を１つの電子ボリュームで実現できるものである。【０００６】
特許文献２には、スイッチで選択された調整項目のレベルをメモリから読み出し、共通ボリュームの現在の目盛位置と読み出したレベルから共通ボリュームの単位変化量に対するレベルの変化量の割合を算出し、共通ボリュームの上下動があると現在のレベルをメモリに保持することが示されている。これにより、調整項目より少ないボリューム数で各調整項目のレベルの全レンジをカバーできる。【０００７】
特許文献１においては、ボリュームの単位変化量に対するレベルの変化量が常に一定であるため、ボリューム調整でレベルの全レンジをカバーできない場合があった。
これに対して、特許文献２では、調整項目よりも少ないボリューム数で各調整項目のレベルの全レンジをカバーすることが可能なボリュームの制御方法が提案されている。【０００８】
具体的には、特許文献１では、ボリュームの変化量とレベルの変化量が常に１：１では、切り替えたボリュームの位置によってレベルの最小値から最大値まで制御することができなくなる。
それに対して、特許文献２では、ボリュームの変化量に対し、値の変化量を変化させることで対応するものとなっている。
【先行技術文献】
【特許文献】
【０００９】
【特許文献１】特開平０８−００８６６３号公報
【特許文献２】特開２００７−２５１７１３号公報
【発明の概要】
【発明が解決しようとする課題】
【００１０】
しかしながら、上記従来例のボリュームの制御方法では、ボリュームとレベルの変化量を１：１に戻すには、ボリュームを最大（ＭＡＸ）又は最小（ＭＩＮ）にする必要があり、１：１の状態になるまで手間が掛かってしまうことになるという問題点があった。【００１１】
また、特許文献２では、ボリュームが制御する機能をスイッチにより切り替えた際に、ボリュームの目盛が極端に大きい位置、もしくは極端に小さい位置となった場合、その逆にそのレベル（設定値）が極端に小さい、もしくは極端に大きい場合に、ボリュームの目盛の変化量に対してレベルの変動が大きく、ユーザの想定よりも大きな変化を招いてしまうことがあった。【００１２】
特許文献１，２には、ボリュームとレベルの変化量を迅速に１：１に戻すことについて記載がない。
また、特許文献１，２には、ボリュームが制御する機能をスイッチで切り替えた場合に、大幅な変化による予期せぬ動作を防止することについて記載がない。【００１３】
本発明は上記実情に鑑みて為されたもので、調整機能をスイッチで切り替えた場合に、ボリュームとレベルの変化量を迅速に１：１に戻すことができ、違和感なく操作できるボリュームの制御方法、ボリュームの制御装置及び撮像装置を提供することを目的とする。【００１４】
また、本発明は、上記目的に加え、ボリュームが制御する機能をスイッチで切り替えた場合に、大幅なレベル変化による予期せぬ動作を防止し、ユーザに安定した操作感を与えることを可能とするものである。
【課題を解決するための手段】
【００１５】
上記従来例の問題点を解決するための本発明は、複数の機能をスイッチで切り替えて、機能に応じてレベルを共通のボリュームで制御する制御方法であって、ボリュームの目盛とレベルの関係を平面で表した場合に、目盛とレベルが最小となる最小点の近辺エリア又は／及び最大となる最大点の近辺エリアを中点合致エリアとして設定し、スイッチが選択した機能の切替前のレベルをメモリに記憶しておき、一旦スイッチが切り替えられた後に、スイッチが切替前の機能を選択すると、メモリに記憶されたレベルを読み込み、当該レベルと現在のボリュームの目盛で特定される点を現在の操作点として、操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とすることを特徴とする。【００１６】
本発明は、上記ボリームの制御方法において、ボリュームの目盛とレベルの関係を平面で表した場合に、レベルの急激な変動を抑制する急峻制御禁止エリアを設け、操作点が急峻制御禁止エリアに入ると、操作点からの軌道変動を制限することを特徴とする。【００１７】
本発明は、複数の機能を切り替えるスイッチと、複数の機能のレベルを制御する共通のボリュームと、機能毎にスイッチの切替前のレベルを記憶し、ボリュームの目盛とレベルの関係を平面で表した場合に、目盛とレベルが最小となる最小点の近辺エリア又は／及び最大となる最大点の近辺エリアを中点合致エリアとして設定されているメモリと、スイッチが選択した機能から一旦切り替えられて、切替前の機能を選択すると、メモリに記憶されたレベルを読み込み、当該レベルと現在のボリュームの目盛で特定される点を現在の操作点として、当該操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とするよう制御を行うレベル調整部とを有することを特徴とする。【００１８】
本発明は、上記ボリームの制御装置において、メモリには、ボリュームの目盛とレベルの関係を平面で表した場合に、レベルの急激な変動を抑制する急峻制御禁止エリアが設けられ、レベル調整部が、操作点が急峻制御禁止エリアに入ると、操作点からの軌道変動を制限することを特徴とする。【００１９】
本発明は、撮像装置において、上記ボリームの制御装置と、ボリュームの目盛とレベルの関係を平面とし、操作点の軌道を表示する表示部とを有することを特徴とする。
【発明の効果】
【００２０】
本発明によれば、一旦スイッチが切り替えられた後に、スイッチが切替前の機能を選択すると、メモリに記憶されたレベルを読み込み、当該レベルと現在のボリュームの目盛で特定される点を現在の操作点として、操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とするボリュームの制御方法としているので、機能をスイッチで切り替えた場合に、ボリュームとレベルの変化量を迅速に１：１に戻すことができ、違和感なく操作できる効果がある。【００２１】
本発明によれば、ボリュームの目盛とレベルの関係を平面で表した場合に、レベルの急激な変動を抑制する急峻制御禁止エリアを設け、操作点が急峻制御禁止エリアに入ると、操作点からの軌道変動を制限する上記ボリームの制御方法としているので、ボリュームが制御する機能をスイッチで切り替えた場合に、大幅なレベル変化による予期せぬ動作を防止し、ユーザに安定した操作感を与えることができる効果がある。
【図面の簡単な説明】
【００２２】
【図１】本装置の構成ブロック図である。
【図２】本装置におけるレベル調整部での制御フローを示す概略図である。
【図３】特許文献２のレベル調整部での制御フローを示す概略図である。
【図４】特許文献２の制御手法を示す説明図である。
【図５】本装置の制御手法を示す説明図である。
【図６】カメラシステムへの適用例を示す構成図である。
【図７】カメラ（撮像装置）への適用例を示す構成図である。
【発明を実施するための形態】
【００２３】
本発明の実施の形態について図面を参照しながら説明する。［実施の形態の概要］   本発明の実施の形態に係るボリームの制御方法は、複数の機能をスイッチで切り替えて機能に応じてレベルを共通のボリュームで制御するものであって、スイッチが選択した機能から一旦切り替えられて、切替前の機能を選択すると、メモリに記憶されたレベルを読み込み、当該レベルと現在のボリュームの目盛で特定される点を現在の操作点として、当該操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、操作点が中点を通過すると、初期状態の軌道に戻すようにしているので、機能をスイッチで切り替えた場合に、ボリュームとレベルの変化量を迅速に１：１に戻すことができ、違和感なく操作できるものである。
【００２４】
また、本発明の実施の形態に係るボリームの制御方法は、ボリュームの目盛とレベルの関係を平面で表した場合に、レベルの急激な変動を抑制する急峻制御禁止エリアを設け、操作点が急峻制御禁止エリアに入ると、操作点からの軌道変動を制限するものであり、ボリュームが制御する機能をスイッチで切り替えた場合に、大幅なレベル変化による予期せぬ動作を防止し、ユーザに安定した操作感を与えることができるものである。
【００２５】
［本装置：図１］   本発明の実施の形態に係るボリームの制御装置（本装置）について図１を参照しながら説明する。図１は、本装置の構成ブロック図である。
本装置は、図１に示すように、機能Ａ制御部１０と、機能Ｂ制御部２０と、機能Ｚ制御部３０と、ボリューム４０と、スイッチ４１と、切替制御部４２と、メモリ４３とを基本的に有している。
尚、機能Ｂ制御部２０と機能Ｚ制御部３０との間には、複数の機能制御部が設けられている。
【００２６】
各機能Ａ〜Ｚ制御部１０〜３０は、各制御対象Ａ〜Ｚに対してレベル調整を行うものである。
各レベル調整部１１〜３１には、メモリ４３から機能設定値がセットされ、制御対象のレベルを制御する。
切替制御部４２は、スイッチ４１を切り替え、ボリューム４０を選択したレベル調整部１１〜３１に接続する。
【００２７】
［本装置の各部］   本装置の各部について具体的に説明する。
機能Ａ制御部１０は、１番目の機能Ａに対する制御部であり、レベル調整部１１と、制御対象Ａ１２とを備えている。
レベル調整部１１は、制御対象Ａの機能に応じて、メモリ４３から機能Ａ用の設定値がセットされ、ボリューム４０が接続されている場合には、その設定値でレベル調整を行う。
【００２８】
機能Ｂ制御部２０は、２番目の機能Ｂに対する制御部であり、レベル調整部２１と、制御対象Ｂ２２とを備えている。
レベル調整部２１は、制御対象Ｂの機能に応じて、メモリ４３から機能Ｂ用の設定値がセットされ、ボリューム４０が接続されている場合には、その設定値を用いてボリューム４０の値に応じてレベル調整を行う。
【００２９】
機能Ｚ制御部３０は、Ｎ（Ｎは任意の整数）番目の機能Ｚに対する制御部であり、レベル調整部３１と、制御対象Ｚ３２とを備えている。
レベル調整部３１は、制御対象Ｚの機能に応じて、メモリ４３から機能Ｚ用の設定値がセットされ、ボリューム４０が接続されている場合には、その設定値でレベル調整を行う。
【００３０】
ボリューム４０は、機能Ａ〜Ｚ制御部１０〜３０に対する共通ボリュームとなっており、スイッチ４１の動作によって接続するレベル調整部１１〜３１が切り替えられる。
スイッチ４１は、各レベル調整部とボリューム４０との接続を切り替えるセレクタである。
【００３１】
切替制御部４２は、スイッチ４１の切り替えを制御する。切り替え制御は、操作によって行ってもよいし、何らかの信号を検出して自動的に切り替え制御を行ってもよい。
メモリ４３は、機能Ａ〜Ｚ制御部１０〜３０に対する設定値を記憶している。設定値は、機能毎にボリューム目盛に対応するレベルの値、もしくはレベルの値を算出する式となる。
また、メモリ４３には、スイッチ４１が切り替わったときのレベルの値をレベル調整部毎に記憶している。
【００３２】
本装置は、基本的には、ボリューム４０に接続するレベル調整部１１〜３１がボリューム４０の値を入力し、メモリ４３から設定された設定値によってレベル調整を行って制御対象への制御を行う。
【００３３】
そして、ボリューム４０の値が、ＭＩＮからＭＡＸの間にあるときに、スイッチ４１が切り替わり、ボリューム４０の値を上下して、再度、スイッチ４１が元の接続先に切り替わると、切替前のレベルの値をメモリ４３から読み込み、レベル調整を行うことになる。
スイッチ４１の切り替えとボリューム４０によるレベル調整の詳細は後述する。
【００３４】
［レベル調整部での制御フロー：図２、図３］   次に、本装置におけるレベル調整部での制御フローについて図２，３を参照しながら説明する。図２は、本装置におけるレベル調整部での制御フローを示す概略図であり、図３は、特許文献２のレベル調整部での制御フローを示す概略図である。
本装置の特徴を明確にするために、先に図３の従来技術での制御フローを説明する。
【００３５】
［従来の制御フロー：図３］   図３（ａ）では、例えば、スイッチ４１がボリューム４０をレベル調整部１１に接続している状態での初期状態を示しており、ボリューム４０の目盛とレベルの値は、１：１の状態となっている。
【００３６】
そして、例えば、ボリューム４０の目盛が「３」でレベルの値「３」の状態で、スイッチ４１がボリーム４０をレベル調整部２１に切り替えたとする。すると、レベル調整部１１はボリューム４０の目盛「３」とレベルの値「３」をメモリ４３に記憶する。
そして、ボリューム４０の目盛を「８」に上げるよう移動させ、その状態でスイッチ４１が再度レベル調整部１１に接続するよう切り替えたとする。
【００３７】
すると、レベル調整部１１は、メモリ４３から切り替わる前のレベルの値「３」を読み込み、レベル調整を開始する。この場合、ボリューム４０の目盛は「８」に移動しているが、読み出されたレベルの値は「３」であるため、図３（ｂ）に示すような操作点１０２となる。
操作点は、その時点でのボリューム４０の目盛と実際のレベルとで特定される点である。
【００３８】
図３（ｂ）に示すように、操作点１０２からＭＩＮ（０，０）にレベルを下げる場合は、操作点１０２からＭＩＮ（０，０）を結んだ直線の軌跡上で移動し、操作点１０２からＭＡＸ（１０，１０）にレベルを上げる場合には、操作点１０２からＭＡＸの点を結んだ直線の軌跡上を移動することになる。
【００３９】
そして、ボリューム４０の目盛を「８」から「９」に上げた場合を図３（ｃ）に示す。
つまり、操作点１０２は、ボリューム４０の目盛が「９」となり、そこからボリーム４０を上げる場合はそのままの軌跡上を移動することになるが、ボリーム４０を下げる場合には、図３（ｃ）に示すように、その操作点１０２とＭＩＮ（０，０）とを結んだ直線の軌跡上を移動することになる。
尚、点線は、操作点が移動した軌道（軌跡）を示し、実線は、操作点がこれから移動する軌道を示している。
【００４０】
更に、ボリューム４０の目盛を「９」から「３」に下げた状態を図３（ｄ）に示す。
つまり、操作点１０２は、ボリューム４０の目盛が「３」となり、そこからボリーム４０を下げる場合にはそのままの軌跡上を移動することになるが、ボリーム４０を上げる場合には、図３（ｄ）に示すように、その操作点１０２とＭＡＸ（１０，１０）とを結んだ直線の軌跡上を移動することになる。
【００４１】
そして、ボリューム４０の目盛を「３」から「８．５」に上げた場合を図３（ｅ）に示す。
つまり、操作点１０２は、ボリューム４０の目盛が「８．５」となり、そこからボリーム４０を上げる場合はそのままの軌跡上を移動することになるが、ボリーム４０を下げる場合には、図３（ｅ）に示すように、その操作点１０２とＭＩＮ（０，０）とを結んだ直線の軌跡上を移動することになる。
【００４２】
図３に示した特許文献２のレベル調整部における制御フローでは、その軌跡（軌道）は常に現在の操作点１０２と（ボリューム４０の目盛，レベル）＝（０，０）又は（１０，１０）とを接続する２つの直線上となる。
【００４３】
そのため、上記軌道が、ボリューム４０の目盛：レベルが１：１となる理想の１本の直線上となるには、現在の操作点１０２が（ボリューム４０の目盛、レベル）＝（０，０）又は（１０，１０）に一旦移動する必要があった。
つまり、ボリューム４０の目盛：レベルを１：１に迅速にするものではなかった。
【００４４】
［本装置の制御フロー：図２］   本装置におけるレベル調整部での制御フローについて図２を参照しながら説明する。
まず、図２（ａ）に示すように、装置の起動時は初期状態であり、ボリーム４０の目盛とレベルは、１：１の状態となる。
【００４５】
そして、図３（ｂ）と同様に、スイッチ４１が一端切り替わり、更に元の接続先のレベル調整部に切り替わると、切り替わる前のレベルの値をメモリ４３から読み込み、図２（ｂ）に示すように、操作点１０２を設定し、ボリーム４０を上げる場合の軌道と下げる場合の軌道が算出される。
【００４６】
ここで、本実施の形態の特徴として、中点合致エリア１０１を設けている。
中点合致エリア１０１とは、予め設定された領域で、図２（ｂ）に示すように、ボリーム４０の「０」〜「３」を横方向の幅とし、レベル「０」〜「３」を縦方向の幅として形成される第１のエリアと、ボリーム４０の「７」〜「１０」を横方向の幅とし、レベル「７」〜「１０」を縦方向の幅として形成される第２のエリアとがある。
中点合致エリア１０１の大きさは任意である。また、中点合致エリア１０１は、初期状態の直線のＭＩＮ側の近辺とＭＡＸ側の近辺に設定するのが望ましいが、初期状態の直線の一方の端部に形成してもよい。
【００４７】
この中点合致エリア１０１の役割は、ボリーム４０の上げ下げによって操作点１０２が当該中点合致エリア１０１に入った場合に、その後の操作点１０２の移動を、ボリーム４０の目盛：レベルが１：１となる直線（初期状態の直線）の中点１０３を通過させ、その中点１０３を通過した場合には、その後の移動は、初期状態の直線上で為されるように制御するものである。
ここで、中点とは、図２のＭＩＮ（０，０）とＭＡＸ（１０，１０）を結んだ直線の中点であり、図２では、点（５，５）が中点となる。
【００４８】
具体的には、図２（ｃ）に示すように、ボリューム４０の目盛を「８」から「９」に上げた場合は、操作点１０２が中点合致エリア１０１の第２のエリアに入っていない状態で、その操作点１０２からボリーム４０を下げる場合は、操作点１０２とＭＩＮ（０，０）を結んだ直線の軌道上を移動する。
【００４９】
そして、ボリーム４０を下げて行き、中点合致エリア１０１の第１のエリアに入ると、その操作点１０２からボリーム４０を上げる場合には、中点１０３を経由（通過）させる。単に、中点１０３を経由させるのではなく、その中点１０３を通過した後は、更にボリーム４０を上げる場合には、中点１０３とＭＡＸ（１０，１０）を結ぶ直線上を移動する。
【００５０】
また、中点１０３を通過させた後に、ボリーム４０を下げる場合には、図２（ｄ）に示すように、中点１０３とＭＩＮ（０，０）を結ぶ直線上を移動する。
つまり、中点１０３を通過させることで、ボリューム４０の目盛：レベルが１：１となる初期状態の直線に迅速かつ簡易に戻すことができるものである。
【００５１】
すなわち、本実施の形態における操作点の動きは以下のようになる。
中点合致エリア１０１の範囲内に現在の操作点１０２のレベルが入らなければ、その軌道は、常に操作点１０２と（ボリューム目盛，レベル）＝（０，０）又は（１０，１０）を接続する２つの直線上となる。
【００５２】
中点合致エリア１０１の範囲内に現在の操作点１０２のレベルが入ったときは、その軌道は、現在の操作点１０２と（ボリューム目盛，レベル）＝（０，０）又は（１０，１０）の内、現在の操作点１０２から近い方の点を結ぶ直線と、現在の操作点１０２と中点１０３とを結ぶ直線と、中点１０３と（ボリューム目盛，レベル）＝（０，０）又は（１０，１０）の内、現在の操作点１０２から遠い方の点を結ぶ直線の３本の直線上が軌道となる。
【００５３】
そして、現在の操作点１０２が中点合致エリア１０１の範囲に入って、制御の中点１０３を通過させることで、ボリューム４０の目盛：レベルが１：１となる直線（初期状態の直線）上に操作点１０２の軌道を迅速かつ容易に戻すものである。
もしくは、現在の操作点１０２が（ボリューム目盛，レベル）＝（０，０）又は（１０，１０）となることで、初期状態の直線上に操作点１０２の軌道を戻すものである。
【００５４】
［急激なレベル変動の抑制］   本装置では、スイッチ４１を切り替えた場合に、予期せぬ急激なレベル変動が発生するのを防止している。本装置での制御手法を説明する前に、特許文献２での制御手法を説明しておく。
【００５５】
［特許文献２の制御手法：図４］   まず、特許文献２における制御手法について図４を参照しながら説明する。図４は、特許文献２の制御手法を示す説明図である。
ボリュームが制御する機能をスイッチ４１が切り替えた際に、ボリュームの目盛が極端に大きい、もしくは小さい位置となり、その逆にレベル（設定値）が極端に小さい、もしくは大きい場合に、ボリュームの目盛の変化量に対してレベルの変動が大きく、ユーザの想定よりも大きな変化を招いてしまうことがある。
【００５６】
図４では、現在の操作点１０２からボリーム４０の目盛を大きくした場合には、レベルの急激な上昇が発生する例であり、ユーザによっては許容できないものである。
【００５７】
［本装置の制御手法：図５］   図４に対して、本装置の特徴的な制御手法について図５を参照しながら説明する。図５は、本装置の制御手法を示す説明図である。
本装置では、図５に示すように、急峻な制御を禁止する急峻制御禁止エリア１０４を設ける。
急峻制御禁止エリア１０４は、ボリューム目盛「８」〜「１０」を横方向の幅とし、レベル「０」〜「２」を縦方向の幅として形成される。
【００５８】
急峻制御禁止エリア１０４の大きさは任意である。また、急峻制御禁止エリア１０４は、図５の右下に設けたが、左上に設けてもよく、両方に設けてもよい。
ここで、右下は、ボリーム４０を上げる場合に急峻な変化となるエリアであり、左上は、ボリーム４０を下げる場合に急峻な変化となるエリアである。
急峻制御禁止エリア１０４と図２の中点合致エリア１０１とを併用して設けてもよい。
【００５９】
急峻制御禁止エリア１０４における具体的な動作は、スイッチ４１の切り替えによってボリーム４０の機能の変化時に、この急峻制御禁止エリア１０４に現在の操作点１０２が入っている場合に、（ボリューム目盛，レベル）＝（０，０）又は（１０，１０）の内、現在の操作点１０２のレベルと近い方の点と、操作点１０２とを結んだ直線１本のみを軌道として制御を行う。
【００６０】
図５の例では、現在の操作点１０２とＭＩＮ（０，０）を結んだ直線を延長して、その直線上を軌道とするものである。
これにより、急激なレベルの上昇又は下降を抑えることができるものである。
そして、急峻制御禁止エリア１０４の範囲外に出た場合には、図２の制御を行うことになる。
【００６１】
［カメラシステムへの適用例：図６］   次に、ボリュームの制御装置をカメラシステムに適用した例について図６を参照しながら説明する。図６は、カメラシステムへの適用例を示す構成図である。
図６に示すように、カメラシステムは、カメラ（撮像装置）５３と、そのカメラ５３に接続して映像を表示するビューファインダ５５と、カメラ５２と、そのカメラ５２に接続して映像を表示するディスプレイ５４と、カメラ５２に接続するリモコン（リモートコントローラ）５０とから構成されている。
【００６２】
リモコン５０は、制御部５６と、スイッチ４１と、メモリ４３とを備えている。制御部５６は、レベル調整部１１，２１，３１と切替制御部４２を含むものである。
また、リモコン５０は、設定値や状態を表示する表示部５１を備えていてもよい。
制御部５６は、ＣＰＵ（Central Processing Unit）又はＦＰＧＡ（Field Programmable Gate Array）により実現される。
【００６３】
カメラシステムにおいて、リモコン５０を操作するユーザは、スイッチ４１によって制御したい機能である映像制御処理１又は映像制御処理２を選択し、ボリューム４０を操作することによって、レベル調整部１１，２１，３１や切替制御部４２の役割を有する制御部とメモリ４３を用いて、図２及び図５に示した制御手法を実現し、その出力となるレベル（設定値）をカメラ（撮像装置）制御装置５２が有する機能（映像制御処理１）１２、機能（映像制御処理２）２２の入力としてカメラの映像を調整する。
【００６４】
ここで、リモコン５０の表示部５１、又はディスプレイ５４、ビューファインダ５５には、図２及び図５に示すグラフを表示することができる。これにより、ユーザが現在の動作状況を容易に把握することができる。
尚、ディスプレイ５４やビューファインダ５５にグラフを表示する位置としては、人物など所望映像と被らないように表示し、また、任意の映像系、例えば、本線以外の映像の場合にのみ表示するよう限定する機能を有するものである。
【００６５】
［カメラ（撮像装置）への適用例：図７］   次に、ボリュームの制御装置をカメラ（撮像装置）に適用した例について図７を参照しながら説明する。図７は、カメラ（撮像装置）への適用例を示す構成図である。
図７に示すように、カメラ５３は、撮影している映像を表示するビューファインダ５５が接続されている。
【００６６】
そして、カメラ５３は、ボリーム４０と、スイッチ４１と、メモリ４３と、制御部５６とを備えている。
制御部５６は、レベル調整部１１，２１，３１と切替制御部４２を含み、機能として複数の映像制御処理を切り替えて実行してカメラの映像を調整し、図２及び図５の制御手法を実行し、ＣＰＵ又はＦＰＧＡで実現されるものである。
尚、ビューファインダ５５に図２及び図５のグラフを表示し、現在の動作状況をユーザが容易に把握できるものである。
【００６７】
［実施の形態の効果］   本実施の形態によれば、複数の機能をスイッチ４１で切り替えて機能に応じてレベルを共通のボリューム４０で制御するものであって、スイッチ４１が選択した機能から一旦切り替えられて、切替前の機能を選択すると、メモリ４３に記憶されたレベルを読み込み、当該レベルと現在のボリュームの目盛で特定される点を現在の操作点１０２として、当該操作点１０２と最小点とを結んだ線又は操作点と最大点とを結んだ線の線上を操作点１０２の軌道とし、ボリューム４０の操作で操作点１０２が中点合致エリア１０１に入ると、最小点と最大点とを結ぶ初期状態の線の中点１０３を操作点１０２が通過する軌道とし、操作点１０２が中点１０３を通過すると、初期状態の軌道に戻すようにしているので、機能をスイッチ４１で切り替えた場合に、ボリューム４０とレベルの変化量を迅速に１：１に戻すことができ、違和感なく操作できる効果がある。
【００６８】
また、本実施の形態によれば、ボリューム４０の目盛とレベルの関係を平面で表した場合に、レベルの急激な変動を抑制する急峻制御禁止エリア１０４を設け、操作点１０２が急峻制御禁止エリア１０４に入ると、操作点１０２からの軌道変動を制限するものであり、ボリューム４０が制御する機能をスイッチ４１で切り替えた場合に、大幅なレベル変化による予期せぬ動作を防止し、ユーザに安定した操作感を与えることができる効果がある。
【産業上の利用可能性】
【００６９】
本発明は、機能をスイッチで切り替えた場合に、ボリュームとレベルの変化量を迅速に１：１に戻すことができ、違和感なく操作できるボリュームの制御方法、ボリュームの制御装置及び撮像装置に好適である。
【符号の説明】
【００７０】
１０…機能Ａ制御部、  １１，２１，３１…レベル調整部、  １２…制御対象Ａ、  ２０…機能Ｂ制御部、  ２２…制御対象Ｂ、  ３０…機能Ｚ制御部、  ３２…制御対象Ｚ、
４０…ボリューム、  ４１…切替スイッチ、  ４２…切替制御部、  ４３…メモリ、  ５０…リモコン、  ５１…リモコン表示部、  ５２，５３…カメラ（撮像装置）、  ５４…ディスプレイ、  ５５…ビューファインダ、  ５６…制御部
【図１】
2019065159.tif 000003
【図２】
2019065159.tif 000004
【図３】
2019065159.tif 000005
【図４】
2019065159.tif 000006
【図５】
2019065159.tif 000007
【図６】
2019065159.tif 000008
【図７】
2019065159.tif 000009
【手続補正書】
【提出日】令和2年2月18日(2020.2.18)
【手続補正１】
【補正対象書類名】特許請求の範囲
【補正対象項目名】請求項５
【補正方法】変更
【補正の内容】
【請求項５】
請求項３記載のボリュームの制御装置と、
ボリュームの目盛とレベルの関係を平面とし、操作点の軌道を表示する表示部とを有することを特徴とする撮像装置。
【手続補正２】
【補正対象書類名】明細書
【補正対象項目名】全文
【補正方法】変更
【補正の内容】
【発明の詳細な説明】
【技術分野】
【０００１】
本発明は、複数の調整項目をスイッチで切り替えるボリュームの制御方法に係り、特に、ボリュームとレベルの変化量を１：１の状態に迅速に戻すことができるボリュームの制御方法、ボリュームの制御装置及び撮像装置に関する。
【背景技術】
【０００２】
［従来の技術］
電子機器に用いられるアナログ量調整ボリュームは、複雑な操作をすることなく設定値を調整できるため、様々な電子機器に広く利用されている。
従来の調整用ボリュームは、調整項目数と同じ数だけ必要になるため、調整項目数が多いほどボリューム数も多く配置しなければならなかった。
しかしながら、電子機器は小型化が求められ、配置できるボリューム数に限界がある。
【０００３】
そこで、複数の調整項目を、スイッチとボリュームを組み合わせて調整することにより、ボリューム数の限界を克服する提案が為されている（例えば、下記の特許文献１，２）。
【０００４】
［関連技術］
尚、関連する先行技術として、特開平０８−００８６６３号公報「電子ボリュームの拡張方法」（特許文献１）、特開２００７−２５１７１３号公報「ボリュームの制御方法、ボリュームの制御装置および撮像装置」（特許文献２）がある。
【０００５】
特許文献１には、電子ボリュームの入力側と出力側に連動するスイッチを設け、入力信号が切り替わると、電子ボリュームの設定情報をメモリに保持し、元の入力信号に切り替わるとメモリから設定情報を読み出して設定することが示されている。これにより、複数の調整項目を１つの電子ボリュームで実現できるものである。
【０００６】
特許文献２には、スイッチで選択された調整項目のレベルをメモリから読み出し、共通ボリュームの現在の目盛位置と読み出したレベルから共通ボリュームの単位変化量に対するレベルの変化量の割合を算出し、共通ボリュームの上下動があると現在のレベルをメモリに保持することが示されている。これにより、調整項目より少ないボリューム数で各調整項目のレベルの全レンジをカバーできる。
【０００７】
特許文献１においては、ボリュームの単位変化量に対するレベルの変化量が常に一定であるため、ボリューム調整でレベルの全レンジをカバーできない場合があった。
これに対して、特許文献２では、調整項目よりも少ないボリューム数で各調整項目のレベルの全レンジをカバーすることが可能なボリュームの制御方法が提案されている。
【０００８】
具体的には、特許文献１では、ボリュームの変化量とレベルの変化量が常に１：１では、切り替えたボリュームの位置によってレベルの最小値から最大値まで制御することができなくなる。
それに対して、特許文献２では、ボリュームの変化量に対し、値の変化量を変化させることで対応するものとなっている。
【先行技術文献】
【特許文献】
【０００９】
【特許文献１】特開平０８−００８６６３号公報
【特許文献２】特開２００７−２５１７１３号公報
【発明の概要】
【発明が解決しようとする課題】
【００１０】
しかしながら、上記従来例のボリュームの制御方法では、ボリュームとレベルの変化量を１：１に戻すには、ボリュームを最大（ＭＡＸ）又は最小（ＭＩＮ）にする必要があり、１：１の状態になるまで手間が掛かってしまうことになるという問題点があった。
【００１１】
また、特許文献２では、ボリュームが制御する機能をスイッチにより切り替えた際に、ボリュームの目盛が極端に大きい位置、もしくは極端に小さい位置となった場合、その逆にそのレベル（設定値）が極端に小さい、もしくは極端に大きい場合に、ボリュームの目盛の変化量に対してレベルの変動が大きく、ユーザの想定よりも大きな変化を招いてしまうことがあった。
【００１２】
特許文献１，２には、ボリュームとレベルの変化量を迅速に１：１に戻すことについて記載がない。
また、特許文献１，２には、ボリュームが制御する機能をスイッチで切り替えた場合に、大幅な変化による予期せぬ動作を防止することについて記載がない。
【００１３】
本発明は上記実情に鑑みて為されたもので、調整機能をスイッチで切り替えた場合に、ボリュームとレベルの変化量を迅速に１：１に戻すことができ、違和感なく操作できるボリュームの制御方法、ボリュームの制御装置及び撮像装置を提供することを目的とする。
【００１４】
また、本発明は、上記目的に加え、ボリュームが制御する機能をスイッチで切り替えた場合に、大幅なレベル変化による予期せぬ動作を防止し、ユーザに安定した操作感を与えることを可能とするものである。
【課題を解決するための手段】
【００１５】
上記従来例の問題点を解決するための本発明は、複数の機能をスイッチで切り替えて、機能に応じてレベルを共通のボリュームで制御する制御方法であって、ボリュームの目盛とレベルの関係を平面で表した場合に、目盛とレベルが最小となる最小点の近辺エリア又は／及び最大となる最大点の近辺エリアを中点合致エリアとして設定し、スイッチが選択した機能の切替前のレベルをメモリに記憶しておき、一旦スイッチが切り替えられた後に、スイッチが切替前の機能を選択すると、メモリに記憶されたレベルを読み込み、当該レベルと現在のボリュームの目盛で特定される点を現在の操作点として、操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とすることを特徴とする。
【００１６】
本発明は、上記ボリュームの制御方法において、ボリュームの目盛とレベルの関係を平面で表した場合に、レベルの急激な変動を抑制する急峻制御禁止エリアを設け、操作点が急峻制御禁止エリアに入ると、操作点からの軌道変動を制限することを特徴とする。
【００１７】
本発明は、ボリュームの制御装置において、複数の機能を切り替えるスイッチと、複数の機能のレベルを制御する共通のボリュームと、機能毎にスイッチの切替前のレベルを記憶し、ボリュームの目盛とレベルの関係を平面で表した場合に、目盛とレベルが最小となる最小点の近辺エリア又は／及び最大となる最大点の近辺エリアを中点合致エリアとして設定されているメモリと、スイッチが選択した機能から一旦切り替えられて、切替前の機能を選択すると、メモリに記憶されたレベルを読み込み、当該レベルと現在のボリュームの目盛で特定される点を現在の操作点として、当該操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とするよう制御を行うレベル調整部とを有することを特徴とする。
【００１８】
本発明は、上記ボリュームの制御装置において、メモリには、ボリュームの目盛とレベルの関係を平面で表した場合に、レベルの急激な変動を抑制する急峻制御禁止エリアが設けられ、レベル調整部が、操作点が急峻制御禁止エリアに入ると、操作点からの軌道変動を制限することを特徴とする。
【００１９】
本発明は、撮像装置において、上記ボリュームの制御装置と、ボリュームの目盛とレベルの関係を平面とし、操作点の軌道を表示する表示部とを有することを特徴とする。
【発明の効果】
【００２０】
本発明によれば、一旦スイッチが切り替えられた後に、スイッチが切替前の機能を選択すると、メモリに記憶されたレベルを読み込み、当該レベルと現在のボリュームの目盛で特定される点を現在の操作点として、操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、中点を操作点が通過すると、初期状態の線上を操作点の軌道とするボリュームの制御方法としているので、機能をスイッチで切り替えた場合に、ボリュームとレベルの変化量を迅速に１：１に戻すことができ、違和感なく操作できる効果がある。
【００２１】
本発明によれば、ボリュームの目盛とレベルの関係を平面で表した場合に、レベルの急激な変動を抑制する急峻制御禁止エリアを設け、操作点が急峻制御禁止エリアに入ると、操作点からの軌道変動を制限する上記ボリュームの制御方法としているので、ボリュームが制御する機能をスイッチで切り替えた場合に、大幅なレベル変化による予期せぬ動作を防止し、ユーザに安定した操作感を与えることができる効果がある。
【図面の簡単な説明】
【００２２】
【図１】本装置の構成ブロック図である。
【図２】本装置におけるレベル調整部での制御フローを示す概略図である。
【図３】特許文献２のレベル調整部での制御フローを示す概略図である。
【図４】特許文献２の制御手法を示す説明図である。
【図５】本装置の制御手法を示す説明図である。
【図６】カメラシステムへの適用例を示す構成図である。
【図７】カメラ（撮像装置）への適用例を示す構成図である。
【発明を実施するための形態】
【００２３】
本発明の実施の形態について図面を参照しながら説明する。
［実施の形態の概要］
本発明の実施の形態に係るボリュームの制御方法は、複数の機能をスイッチで切り替えて機能に応じてレベルを共通のボリュームで制御するものであって、スイッチが選択した機能から一旦切り替えられて、切替前の機能を選択すると、メモリに記憶されたレベルを読み込み、当該レベルと現在のボリュームの目盛で特定される点を現在の操作点として、当該操作点と最小点とを結んだ線又は操作点と最大点とを結んだ線の線上を操作点の軌道とし、ボリュームの操作で操作点が中点合致エリアに入ると、最小点と最大点とを結ぶ初期状態の線の中点を操作点が通過する軌道とし、操作点が中点を通過すると、初期状態の軌道に戻すようにしているので、機能をスイッチで切り替えた場合に、ボリュームとレベルの変化量を迅速に１：１に戻すことができ、違和感なく操作できるものである。
【００２４】
また、本発明の実施の形態に係るボリュームの制御方法は、ボリュームの目盛とレベルの関係を平面で表した場合に、レベルの急激な変動を抑制する急峻制御禁止エリアを設け、操作点が急峻制御禁止エリアに入ると、操作点からの軌道変動を制限するものであり、ボリュームが制御する機能をスイッチで切り替えた場合に、大幅なレベル変化による予期せぬ動作を防止し、ユーザに安定した操作感を与えることができるものである。
【００２５】
［本装置：図１］
本発明の実施の形態に係るボリュームの制御装置（本装置）について図１を参照しながら説明する。図１は、本装置の構成ブロック図である。
本装置は、図１に示すように、機能Ａ制御部１０と、機能Ｂ制御部２０と、機能Ｚ制御部３０と、ボリューム４０と、スイッチ４１と、切替制御部４２と、メモリ４３とを基本的に有している。
尚、機能Ｂ制御部２０と機能Ｚ制御部３０との間には、複数の機能制御部が設けられている。
【００２６】
各機能Ａ〜Ｚ制御部１０〜３０は、各制御対象Ａ〜Ｚに対してレベル調整を行うものである。
各レベル調整部１１〜３１には、メモリ４３から機能設定値がセットされ、制御対象のレベルを制御する。
切替制御部４２は、スイッチ４１を切り替え、ボリューム４０を選択したレベル調整部１１〜３１に接続する。
【００２７】
［本装置の各部］
本装置の各部について具体的に説明する。
機能Ａ制御部１０は、１番目の機能Ａに対する制御部であり、レベル調整部１１と、制御対象Ａ１２とを備えている。
レベル調整部１１は、制御対象Ａの機能に応じて、メモリ４３から機能Ａ用の設定値がセットされ、ボリューム４０が接続されている場合には、その設定値でレベル調整を行う。
【００２８】
機能Ｂ制御部２０は、２番目の機能Ｂに対する制御部であり、レベル調整部２１と、制御対象Ｂ２２とを備えている。
レベル調整部２１は、制御対象Ｂの機能に応じて、メモリ４３から機能Ｂ用の設定値がセットされ、ボリューム４０が接続されている場合には、その設定値を用いてボリューム４０の値に応じてレベル調整を行う。
【００２９】
機能Ｚ制御部３０は、Ｎ（Ｎは任意の整数）番目の機能Ｚに対する制御部であり、レベル調整部３１と、制御対象Ｚ３２とを備えている。
レベル調整部３１は、制御対象Ｚの機能に応じて、メモリ４３から機能Ｚ用の設定値がセットされ、ボリューム４０が接続されている場合には、その設定値でレベル調整を行う。
【００３０】
ボリューム４０は、機能Ａ〜Ｚ制御部１０〜３０に対する共通ボリュームとなっており、スイッチ４１の動作によって接続するレベル調整部１１〜３１が切り替えられる。
スイッチ４１は、各レベル調整部とボリューム４０との接続を切り替えるセレクタである。
【００３１】
切替制御部４２は、スイッチ４１の切り替えを制御する。切り替え制御は、操作によって行ってもよいし、何らかの信号を検出して自動的に切り替え制御を行ってもよい。
メモリ４３は、機能Ａ〜Ｚ制御部１０〜３０に対する設定値を記憶している。設定値は、機能毎にボリューム目盛に対応するレベルの値、もしくはレベルの値を算出する式となる。
また、メモリ４３には、スイッチ４１が切り替わったときのレベルの値をレベル調整部毎に記憶している。
【００３２】
本装置は、基本的には、ボリューム４０に接続するレベル調整部１１〜３１がボリューム４０の値を入力し、メモリ４３から設定された設定値によってレベル調整を行って制御対象への制御を行う。
【００３３】
そして、ボリューム４０の値が、ＭＩＮからＭＡＸの間にあるときに、スイッチ４１が切り替わり、ボリューム４０の値を上下して、再度、スイッチ４１が元の接続先に切り替わると、切替前のレベルの値をメモリ４３から読み込み、レベル調整を行うことになる。
スイッチ４１の切り替えとボリューム４０によるレベル調整の詳細は後述する。
【００３４】
［レベル調整部での制御フロー：図２、図３］
次に、本装置におけるレベル調整部での制御フローについて図２，３を参照しながら説明する。図２は、本装置におけるレベル調整部での制御フローを示す概略図であり、図３は、特許文献２のレベル調整部での制御フローを示す概略図である。
本装置の特徴を明確にするために、先に図３の従来技術での制御フローを説明する。
【００３５】
［従来の制御フロー：図３］
図３（ａ）では、例えば、スイッチ４１がボリューム４０をレベル調整部１１に接続している状態での初期状態を示しており、ボリューム４０の目盛とレベルの値は、１：１の状態となっている。
【００３６】
そして、例えば、ボリューム４０の目盛が「３」でレベルの値「３」の状態で、スイッチ４１がボリューム４０をレベル調整部２１に切り替えたとする。すると、レベル調整部１１はボリューム４０の目盛「３」とレベルの値「３」をメモリ４３に記憶する。
そして、ボリューム４０の目盛を「８」に上げるよう移動させ、その状態でスイッチ４１が再度レベル調整部１１に接続するよう切り替えたとする。
【００３７】
すると、レベル調整部１１は、メモリ４３から切り替わる前のレベルの値「３」を読み込み、レベル調整を開始する。この場合、ボリューム４０の目盛は「８」に移動しているが、読み出されたレベルの値は「３」であるため、図３（ｂ）に示すような操作点１０２となる。
操作点は、その時点でのボリューム４０の目盛と実際のレベルとで特定される点である。
【００３８】
図３（ｂ）に示すように、操作点１０２からＭＩＮ（０，０）にレベルを下げる場合は、操作点１０２からＭＩＮ（０，０）を結んだ直線の軌跡上で移動し、操作点１０２からＭＡＸ（１０，１０）にレベルを上げる場合には、操作点１０２からＭＡＸの点を結んだ直線の軌跡上を移動することになる。
【００３９】
そして、ボリューム４０の目盛を「８」から「９」に上げた場合を図３（ｃ）に示す。
つまり、操作点１０２は、ボリューム４０の目盛が「９」となり、そこからボリューム４０を上げる場合はそのままの軌跡上を移動することになるが、ボリューム４０を下げる場合には、図３（ｃ）に示すように、その操作点１０２とＭＩＮ（０，０）とを結んだ直線の軌跡上を移動することになる。
尚、点線は、操作点が移動した軌道（軌跡）を示し、実線は、操作点がこれから移動する軌道を示している。
【００４０】
更に、ボリューム４０の目盛を「９」から「３」に下げた状態を図３（ｄ）に示す。
つまり、操作点１０２は、ボリューム４０の目盛が「３」となり、そこからボリューム４０を下げる場合にはそのままの軌跡上を移動することになるが、ボリューム４０を上げる場合には、図３（ｄ）に示すように、その操作点１０２とＭＡＸ（１０，１０）とを結んだ直線の軌跡上を移動することになる。
【００４１】
そして、ボリューム４０の目盛を「３」から「８．５」に上げた場合を図３（ｅ）に示す。
つまり、操作点１０２は、ボリューム４０の目盛が「８．５」となり、そこからボリューム４０を上げる場合はそのままの軌跡上を移動することになるが、ボリューム４０を下げる場合には、図３（ｅ）に示すように、その操作点１０２とＭＩＮ（０，０）とを結んだ直線の軌跡上を移動することになる。
【００４２】
図３に示した特許文献２のレベル調整部における制御フローでは、その軌跡（軌道）は常に現在の操作点１０２と（ボリューム４０の目盛，レベル）＝（０，０）又は（１０，１０）とを接続する２つの直線上となる。
【００４３】
そのため、上記軌道が、ボリューム４０の目盛：レベルが１：１となる理想の１本の直線上となるには、現在の操作点１０２が（ボリューム４０の目盛、レベル）＝（０，０）又は（１０，１０）に一旦移動する必要があった。
つまり、ボリューム４０の目盛：レベルを１：１に迅速にするものではなかった。
【００４４】
［本装置の制御フロー：図２］
本装置におけるレベル調整部での制御フローについて図２を参照しながら説明する。
まず、図２（ａ）に示すように、装置の起動時は初期状態であり、ボリューム４０の目盛とレベルは、１：１の状態となる。
【００４５】
そして、図３（ｂ）と同様に、スイッチ４１が一端切り替わり、更に元の接続先のレベル調整部に切り替わると、切り替わる前のレベルの値をメモリ４３から読み込み、図２（ｂ）に示すように、操作点１０２を設定し、ボリューム４０を上げる場合の軌道と下げる場合の軌道が算出される。
【００４６】
ここで、本実施の形態の特徴として、中点合致エリア１０１を設けている。
中点合致エリア１０１とは、予め設定された領域で、図２（ｂ）に示すように、ボリューム４０の「０」〜「３」を横方向の幅とし、レベル「０」〜「３」を縦方向の幅として形成される第１のエリアと、ボリューム４０の「７」〜「１０」を横方向の幅とし、レベル「７」〜「１０」を縦方向の幅として形成される第２のエリアとがある。
中点合致エリア１０１の大きさは任意である。また、中点合致エリア１０１は、初期状態の直線のＭＩＮ側の近辺とＭＡＸ側の近辺に設定するのが望ましいが、初期状態の直線の一方の端部に形成してもよい。
【００４７】
この中点合致エリア１０１の役割は、ボリューム４０の上げ下げによって操作点１０２が当該中点合致エリア１０１に入った場合に、その後の操作点１０２の移動を、ボリューム４０の目盛：レベルが１：１となる直線（初期状態の直線）の中点１０３を通過させ、その中点１０３を通過した場合には、その後の移動は、初期状態の直線上で為されるように制御するものである。
ここで、中点とは、図２のＭＩＮ（０，０）とＭＡＸ（１０，１０）を結んだ直線の中点であり、図２では、点（５，５）が中点となる。
【００４８】
具体的には、図２（ｃ）に示すように、ボリューム４０の目盛を「８」から「９」に上げた場合は、操作点１０２が中点合致エリア１０１の第２のエリアに入っていない状態で、その操作点１０２からボリューム４０を下げる場合は、操作点１０２とＭＩＮ（０，０）を結んだ直線の軌道上を移動する。
【００４９】
そして、ボリューム４０を下げて行き、中点合致エリア１０１の第１のエリアに入ると、その操作点１０２からボリューム４０を上げる場合には、中点１０３を経由（通過）させる。単に、中点１０３を経由させるのではなく、その中点１０３を通過した後は、更にボリューム４０を上げる場合には、中点１０３とＭＡＸ（１０，１０）を結ぶ直線上を移動する。
【００５０】
また、中点１０３を通過させた後に、ボリューム４０を下げる場合には、図２（ｄ）に示すように、中点１０３とＭＩＮ（０，０）を結ぶ直線上を移動する。
つまり、中点１０３を通過させることで、ボリューム４０の目盛：レベルが１：１となる初期状態の直線に迅速かつ簡易に戻すことができるものである。
【００５１】
すなわち、本実施の形態における操作点の動きは以下のようになる。
中点合致エリア１０１の範囲内に現在の操作点１０２のレベルが入らなければ、その軌道は、常に操作点１０２と（ボリューム目盛，レベル）＝（０，０）又は（１０，１０）を接続する２つの直線上となる。
【００５２】
中点合致エリア１０１の範囲内に現在の操作点１０２のレベルが入ったときは、その軌道は、現在の操作点１０２と（ボリューム目盛，レベル）＝（０，０）又は（１０，１０）の内、現在の操作点１０２から近い方の点を結ぶ直線と、現在の操作点１０２と中点１０３とを結ぶ直線と、中点１０３と（ボリューム目盛，レベル）＝（０，０）又は（１０，１０）の内、現在の操作点１０２から遠い方の点を結ぶ直線の３本の直線上が軌道となる。
【００５３】
そして、現在の操作点１０２が中点合致エリア１０１の範囲に入って、制御の中点１０３を通過させることで、ボリューム４０の目盛：レベルが１：１となる直線（初期状態の直線）上に操作点１０２の軌道を迅速かつ容易に戻すものである。
もしくは、現在の操作点１０２が（ボリューム目盛，レベル）＝（０，０）又は（１０，１０）となることで、初期状態の直線上に操作点１０２の軌道を戻すものである。
【００５４】
［急激なレベル変動の抑制］
本装置では、スイッチ４１を切り替えた場合に、予期せぬ急激なレベル変動が発生するのを防止している。本装置での制御手法を説明する前に、特許文献２での制御手法を説明しておく。
【００５５】
［特許文献２の制御手法：図４］
まず、特許文献２における制御手法について図４を参照しながら説明する。図４は、特許文献２の制御手法を示す説明図である。
ボリュームが制御する機能をスイッチ４１が切り替えた際に、ボリュームの目盛が極端に大きい、もしくは小さい位置となり、その逆にレベル（設定値）が極端に小さい、もしくは大きい場合に、ボリュームの目盛の変化量に対してレベルの変動が大きく、ユーザの想定よりも大きな変化を招いてしまうことがある。
【００５６】
図４では、現在の操作点１０２からボリューム４０の目盛を大きくした場合には、レベルの急激な上昇が発生する例であり、ユーザによっては許容できないものである。
【００５７】
［本装置の制御手法：図５］
図４に対して、本装置の特徴的な制御手法について図５を参照しながら説明する。図５は、本装置の制御手法を示す説明図である。
本装置では、図５に示すように、急峻な制御を禁止する急峻制御禁止エリア１０４を設ける。
急峻制御禁止エリア１０４は、ボリューム目盛「８」〜「１０」を横方向の幅とし、レベル「０」〜「２」を縦方向の幅として形成される。
【００５８】
急峻制御禁止エリア１０４の大きさは任意である。また、急峻制御禁止エリア１０４は、図５の右下に設けたが、左上に設けてもよく、両方に設けてもよい。
ここで、右下は、ボリューム４０を上げる場合に急峻な変化となるエリアであり、左上は、ボリューム４０を下げる場合に急峻な変化となるエリアである。
急峻制御禁止エリア１０４と図２の中点合致エリア１０１とを併用して設けてもよい。
【００５９】
急峻制御禁止エリア１０４における具体的な動作は、スイッチ４１の切り替えによってボリューム４０の機能の変化時に、この急峻制御禁止エリア１０４に現在の操作点１０２が入っている場合に、（ボリューム目盛，レベル）＝（０，０）又は（１０，１０）の内、現在の操作点１０２のレベルと近い方の点と、操作点１０２とを結んだ直線１本のみを軌道として制御を行う。
【００６０】
図５の例では、現在の操作点１０２とＭＩＮ（０，０）を結んだ直線を延長して、その直線上を軌道とするものである。
これにより、急激なレベルの上昇又は下降を抑えることができるものである。
そして、急峻制御禁止エリア１０４の範囲外に出た場合には、図２の制御を行うことになる。
【００６１】
［カメラシステムへの適用例：図６］
次に、ボリュームの制御装置をカメラシステムに適用した例について図６を参照しながら説明する。図６は、カメラシステムへの適用例を示す構成図である。
図６に示すように、カメラシステムは、カメラ（撮像装置）５３と、そのカメラ５３に接続して映像を表示するビューファインダ５５と、カメラ５２と、そのカメラ５２に接続して映像を表示するディスプレイ５４と、カメラ５２に接続するリモコン（リモートコントローラ）５０とから構成されている。
【００６２】
リモコン５０は、制御部５６と、スイッチ４１と、メモリ４３とを備えている。制御部５６は、レベル調整部１１，２１，３１と切替制御部４２を含むものである。
また、リモコン５０は、設定値や状態を表示する表示部５１を備えていてもよい。
制御部５６は、ＣＰＵ（Central Processing Unit）又はＦＰＧＡ（Field Programmable Gate Array）により実現される。
【００６３】
カメラシステムにおいて、リモコン５０を操作するユーザは、スイッチ４１によって制御したい機能である映像制御処理１又は映像制御処理２を選択し、ボリューム４０を操作することによって、レベル調整部１１，２１，３１や切替制御部４２の役割を有する制御部とメモリ４３を用いて、図２及び図５に示した制御手法を実現し、その出力となるレベル（設定値）をカメラ（撮像装置）制御装置５２が有する機能（映像制御処理１）１２、機能（映像制御処理２）２２の入力としてカメラの映像を調整する。
【００６４】
ここで、リモコン５０の表示部５１、又はディスプレイ５４、ビューファインダ５５には、図２及び図５に示すグラフを表示することができる。これにより、ユーザが現在の動作状況を容易に把握することができる。
尚、ディスプレイ５４やビューファインダ５５にグラフを表示する位置としては、人物など所望映像と被らないように表示し、また、任意の映像系、例えば、本線以外の映像の場合にのみ表示するよう限定する機能を有するものである。
【００６５】
［カメラ（撮像装置）への適用例：図７］
次に、ボリュームの制御装置をカメラ（撮像装置）に適用した例について図７を参照しながら説明する。図７は、カメラ（撮像装置）への適用例を示す構成図である。
図７に示すように、カメラ５３は、撮影している映像を表示するビューファインダ５５が接続されている。
【００６６】
そして、カメラ５３は、ボリューム４０と、スイッチ４１と、メモリ４３と、制御部５６とを備えている。
制御部５６は、レベル調整部１１，２１，３１と切替制御部４２を含み、機能として複数の映像制御処理を切り替えて実行してカメラの映像を調整し、図２及び図５の制御手法を実行し、ＣＰＵ又はＦＰＧＡで実現されるものである。
尚、ビューファインダ５５に図２及び図５のグラフを表示し、現在の動作状況をユーザが容易に把握できるものである。
【００６７】
［実施の形態の効果］
本実施の形態によれば、複数の機能をスイッチ４１で切り替えて機能に応じてレベルを共通のボリューム４０で制御するものであって、スイッチ４１が選択した機能から一旦切り替えられて、切替前の機能を選択すると、メモリ４３に記憶されたレベルを読み込み、当該レベルと現在のボリュームの目盛で特定される点を現在の操作点１０２として、当該操作点１０２と最小点とを結んだ線又は操作点と最大点とを結んだ線の線上を操作点１０２の軌道とし、ボリューム４０の操作で操作点１０２が中点合致エリア１０１に入ると、最小点と最大点とを結ぶ初期状態の線の中点１０３を操作点１０２が通過する軌道とし、操作点１０２が中点１０３を通過すると、初期状態の軌道に戻すようにしているので、機能をスイッチ４１で切り替えた場合に、ボリューム４０とレベルの変化量を迅速に１：１に戻すことができ、違和感なく操作できる効果がある。
【００６８】
また、本実施の形態によれば、ボリューム４０の目盛とレベルの関係を平面で表した場合に、レベルの急激な変動を抑制する急峻制御禁止エリア１０４を設け、操作点１０２が急峻制御禁止エリア１０４に入ると、操作点１０２からの軌道変動を制限するものであり、ボリューム４０が制御する機能をスイッチ４１で切り替えた場合に、大幅なレベル変化による予期せぬ動作を防止し、ユーザに安定した操作感を与えることができる効果がある。
【産業上の利用可能性】
【００６９】
本発明は、機能をスイッチで切り替えた場合に、ボリュームとレベルの変化量を迅速に１：１に戻すことができ、違和感なく操作できるボリュームの制御方法、ボリュームの制御装置及び撮像装置に好適である。
【符号の説明】
【００７０】
１０…機能Ａ制御部、  １１，２１，３１…レベル調整部、  １２…制御対象Ａ、  ２０…機能Ｂ制御部、  ２２…制御対象Ｂ、  ３０…機能Ｚ制御部、  ３２…制御対象Ｚ、  ４０…ボリューム、  ４１…切替スイッチ、  ４２…切替制御部、  ４３…メモリ、  ５０…リモコン、  ５１…リモコン表示部、  ５２，５３…カメラ（撮像装置）、  ５４…ディスプレイ、  ５５…ビューファインダ、  ５６…制御部
【国際調査報告】
2019065159.tif 000010
2019065159.tif 000011
2019065159.tif 000012